(57)【要約】【課題】物干しスペースの配置における日照条件に左右されることなく、物干しスペースに干した洗濯物等を乾き易くすることができ、物干し作業効率を格段と向上させることができる。【解決手段】隣地との境界線Ｌに沿って配設され、隣家Ｈ２の壁面１０と略平行に対峙する隣家側壁面３ａを備えた住宅Ｈ１において、隣家側壁面３ａに設けられ、境界線Ｌに沿って延在するバルコニー４と、その上方に配設され、当該バルコニー４の出寸法とほぼ同じか、それ以上の出寸法からなる屋根２とを有し、バルコニー４のうち、隣家側壁面３ａと境界線Ｌとの間に位置する細長い平面形状の部位が、物干しスペース４ａとして機能するようにした。よって、バルコニー４を境界線Ｌに沿ってトンネル状に配置し、ビル風のように速度の上昇した風が流れ込むので、物干しスペース４ａの洗濯物を乾き易くできる。【選択図】図２
2014105488.tif 000002
【特許請求の範囲】
【請求項１】
隣接する敷地との境界線に沿って配設され、当該敷地に建築された隣家の壁面と略平行に対峙する隣家側壁面を備えた建物において、
前記隣家側壁面に設けられ、前記境界線に沿って延在するバルコニーと、
前記バルコニーの上方に配設され、当該バルコニーの出寸法とほぼ同じか、それ以上の出寸法からなる屋根または庇と、を有し、
前記バルコニーのうち、前記隣家側壁面と前記境界線との間に位置する細長い平面形状からなる部位が、物干しスペースとして機能することを特徴とする建物。
【請求項２】
請求項１に記載の建物において、
当該建物における一つのコーナー部が、隣接する他の壁面に対して室内側に後退する複数の壁面によって構成された凹所とされており、
前記隣家側壁面は、前記凹所を構成する複数の壁面を含んで構成されていることを特徴とする建物。
【請求項３】
請求項１または２に記載の建物において、
前記バルコニーの端部における軒天または前記隣家側壁面に室内換気用の吹出口が設けられていることを特徴とする建物。
【請求項４】
請求項１〜３のいずれか一項に記載の建物において、
前記バルコニーの手摺は、
前記境界線の延在方向における両端に通風可能な開口部を備え、
当該境界線と略平行な側面に閉塞された壁部を備えることを特徴とする建物。
【請求項５】
請求項１〜４のいずれか一項に記載の建物において、
前記バルコニーは、手摺上部と軒天との間に整流用の仕切パネルを備えていることを特徴とする建物。
【請求項６】
請求項５に記載の建物において、
前記仕切パネルは、前記手摺上部と軒天とを結ぶ方向を回転中心として回動自在に設けられていることを特徴とする建物。
【請求項７】
請求項１〜６のいずれか一項に記載の建物において、
前記バルコニーは、前記隣家側壁面に隣接する他の壁面側に設けられ、前記物干しスペースから延在する他のスペースを含んで構成されており、
前記物干しスペースは、前記境界線に沿って摺動自在に配設される物干し手段を有していることを特徴とする建物。
【発明の詳細な説明】
【技術分野】
【０００１】
本発明は、バルコニーを備えた住宅等の建物に関する。
【背景技術】
【０００２】
従来から、住宅等の建物におけるバルコニーは、住宅密集地などにおいて洗濯物等を干す物干しスペースや、草花・家庭菜園等のガーデニング用スペースといった、いわゆる庭としての機能を果たす目的で広く利用されている（例えば、特許文献１参照）。
そして、このようなバルコニーは、従来から日照との関連性に基づいて配置される傾向が強く、特に日当たりの良い南側などに配置されることが多い。
【先行技術文献】
【特許文献】
【０００３】
【特許文献１】特開２００３−０４１６５１号公報
【発明の概要】
【発明が解決しようとする課題】
【０００４】
ところで、近年、とりわけ都市部等の住宅密集地では土地が狭くなってきており、当該土地を境界線によって区分した分譲地における各敷地は、それぞれが狭小であり密接している。そして、このような敷地にそれぞれ建てられる住宅等の建物は、各々近接した状態で配置されている場合が多い。
【０００５】
しかしながら、このように近接配置された建物では、各敷地の全域を利用して可能な限りの建築スペースを確保するようにしているため、全ての建物において物干しスペースを日当たりの良い方角に配置することは困難な場合があった。
【０００６】
そのため、上述のように、隣接する敷地に建てられた隣家との距離が近い建物の場合、バルコニーの配置によっては、物干しスペースとしての日照条件が悪く、洗濯物が乾き難いという不都合を招く虞があった。
【０００７】
一方、上述のように配置された建物と、その隣家との間では、各建物が設置された前後の広い空間から当該建物間の狭い空間に至る過程において、ベルヌーイの定理からも明らかなように、流れる流体（すなわち風）の速度が上昇する。よって、境界線を挟んで隣接する建物同士の間に、いわゆるビル風効果による流れの速い風が流れ込むこととなる。
【０００８】
しかしながら、従来、このように流れ込む風を利用することで物干しスペースに干した洗濯物等を乾き易くするといった発想はなく、従って、建物における物干しスペースを必ずしも日照条件の良い位置に配置する必要はないといった観点もなかった。
【０００９】
そこで、本発明は上述した事情に鑑みてなされたもので、物干しスペースの配置における日照条件に左右されることなく、物干しスペースに干した洗濯物等を乾き易くすることができ、物干し作業効率を格段と向上させることができるバルコニーを備えた建物を実現することを目的とする。
【課題を解決するための手段】
【００１０】
請求項１に記載の発明は、例えば図１〜図５に示すように、隣接する敷地との境界線Ｌに沿って配設され、当該敷地に建築された隣家Ｈ２の壁面１０と略平行に対峙する隣家側壁面３ａを備えた建物（住宅Ｈ１）において、
前記隣家側壁面３ａに設けられ、前記境界線Ｌに沿って延在するバルコニー４と、
前記バルコニー４の上方に配設され、当該バルコニー４の出寸法とほぼ同じか、それ以上の出寸法からなる屋根２または庇と、を有し、
前記バルコニー４のうち、前記隣家側壁面３ａと前記境界線Ｌとの間に位置する細長い平面形状からなる部位が、物干しスペース４ａとして機能することを特徴とする。
【００１１】
請求項１に記載の発明によれば、隣家側壁面３ａに境界線Ｌに沿って延在するように設けられるバルコニー４のうち、隣家側壁面３ａと境界線Ｌとの間に位置する細長い平面形状からなる部位を物干しスペース４ａとして機能させるようにした。このとき、隣家側壁面３ａと隣家Ｈ２の壁面１０との間の狭い空間においては、それぞれの建物（住宅Ｈ１および隣家Ｈ２）における前後の広い空間から、いわゆるビル風のように速度の上昇した風が流れ込む現象が起こり易い。しかも、このバルコニー４の上方には、当該バルコニー４の出寸法とほぼ同じか、それ以上の出寸法からなる屋根２または庇が配設されているので、バルコニー４を境界線Ｌに沿ったトンネル状に配置することができる。かくして、上述のように物干しスペース４ａを有するバルコニー４を備えた建物（住宅Ｈ１）によれば、隣家側壁面３ａと隣家Ｈ２の壁面１０との間を通り抜ける風を利用することで、当該物干しスペース４ａの配置における日照条件に左右されることなく、洗濯物を乾き易くすることができ、物干し作業効率を格段と向上させることができる。
【００１２】
請求項２に記載の発明は、例えば図２および図３に示すように、請求項１に記載の建物（住宅Ｈ１）において、
当該建物（住宅Ｈ１）における一つのコーナー部が、隣接する他の壁面３ｂに対して室内側に後退する複数の壁面３ｃ，３ｄによって構成された凹所５とされており、
前記隣家側壁面３ａは、前記凹所５を構成する複数の壁面３ｃ，３ｄを含んで構成されていることを特徴とする。
【００１３】
請求項２に記載の発明によれば、隣家側壁面３ａが、当該建物（住宅Ｈ１）のコーナー部に設けられた凹所５を構成する複数の壁面３ｃ，３ｄを含んで構成されている。すなわち、この建物（住宅Ｈ１）における前後いずれかの広い空間に面したコーナー部を含み、且つ、そのコーナー部が凹所５となっているので、隣家側壁面３ａと隣家Ｈ２の壁面１０との間（換言すれば、隣接する建物である住宅Ｈ１および隣家Ｈ２の間）を通り抜ける風を集め易くすることができる。よって、当該バルコニー４が有する物干しスペース４ａにおいて、洗濯物を乾き易くすることができ、物干し作業効率をより一段と向上させることができる。
【００１４】
請求項３に記載の発明は、例えば図３に示すように、請求項１または２に記載の建物（住宅Ｈ１）において、
前記バルコニー４の端部における軒天２ａまたは前記隣家側壁面３ａに室内換気用の吹出口９が設けられていることを特徴とする。
【００１５】
請求項３に記載の発明によれば、当該バルコニー４の端部における軒天２ａまたは隣家側壁面３ａに室内換気用の吹出口９が設けられているので、この吹出口９から吐出された室内の空気（風）がバルコニー４の物干しスペース４ａに干された洗濯物に当たり、より乾き易くすることができる。
【００１６】
請求項４に記載の発明は、例えば図４に示すように、請求項１〜３のいずれか一項に記載の建物（住宅Ｈ１）において、
前記バルコニー４の手摺７は、
前記境界線Ｌの延在方向における両端７ａ，７ｂに通風可能な開口部７１，７１を備え、
当該境界線Ｌと略平行な側面に閉塞された壁部７２を備えることを特徴とする。
【００１７】
請求項４に記載の発明によれば、当該バルコニー４の手摺７は、境界線Ｌの延在方向における両端７ａ，７ｂに通風可能な開口部７１，７１を備えるので、手摺７の端部７ａまたは７ｂ側からバルコニー４に流入する風の流れを邪魔することなく流通させることができると共に、当該境界線Ｌと略平行な側面に閉塞された壁部７２を備えるので、隣接する建物（住宅Ｈ１および隣家Ｈ２）間を流れる風が整流され、バルコニー４をトンネル状にして当該風の流通速度を向上させることができる。これにより、バルコニー４の物干しスペース４ａに干された洗濯物をより乾き易くすることができ、物干しスペース４ａにおける洗濯物の乾燥効率を格段と向上させることができる。
【００１８】
請求項５に記載の発明は、例えば図１および図５に示すように、請求項１〜４のいずれか一項に記載の建物（住宅Ｈ１）において、
前記バルコニー４は、手摺上部７ｃと軒天２ａとの間に整流用の仕切パネル８（パネル８ａ，８ｂ，８ｃ）を備えていることを特徴とする。
【００１９】
請求項５に記載の発明によれば、当該バルコニー４が手摺上部７ｃと軒天２ａとの間に整流用の仕切パネル８（パネル８ａ，８ｂ，８ｃ）を備えているので、バルコニー４がトンネル状となり、隣接する建物（住宅Ｈ１および隣家Ｈ２）間を流れる（つまり、バルコニー４を通り抜ける）風の速度を上げることができる。よって、このバルコニー４の物干しスペース４ａに干された洗濯物の乾燥効率をより一段と向上させることができる。
【００２０】
請求項６に記載の発明は、請求項５に記載の建物（住宅Ｈ１）において、
前記仕切パネル８（パネル８ａ，８ｂ，８ｃ）は、前記手摺上部７ｃと軒天２ａとを結ぶ方向を回転中心として回動自在に設けられていることを特徴とする。
【００２１】
請求項６に記載の発明によれば、当該バルコニー４に備えられた仕切パネル８（パネル８ａ，８ｂ，８ｃ）が、手摺上部７ｃと軒天２ａとを結ぶ方向を回転中心として回動自在であるので、隣接する建物（住宅Ｈ１および隣家Ｈ２）間を流れる風の風向きに応じて角度を調整することにより、バルコニー４を通り抜ける風の通風性を向上させることができる。
【００２２】
請求項７に記載の発明は、請求項１〜６のいずれか一項に記載の建物（住宅Ｈ１）において、
前記バルコニー４は、前記隣家側壁面３ａに隣接する他の壁面３ｂ側に設けられ、前記物干しスペース４ａから延在する他のスペース４ｂを含んで構成されており、
前記物干しスペース４ａは、前記境界線Ｌに沿って摺動自在に配設される物干し手段６を有していることを特徴とする。
【００２３】
請求項７に記載の発明によれば、当該バルコニー４が、隣家側壁面３ａに隣接する他の壁面３ｂ側に設けられ、物干しスペース４ａから延在する他のスペース４ｂを含んで構成されている。そして、当該バルコニー４の物干しスペース４ａは、境界線Ｌに沿って摺動自在に配設される物干し手段６を有しているので、当該物干し手段６を細長い平面形状からなる物干しスペース４ａから隣家側壁面３ａに隣接する他の壁面３ｂ側に延在する他のスペース４ｂ側へと引き出すことができ、洗濯物等を干す物干し作業を容易にすることができる。よって、当該バルコニー４における物干し作業を簡便化することができる。
【発明の効果】
【００２４】
本発明によれば、バルコニーを備えた住宅等の建物において、物干しスペースの配置における日照条件に左右されることなく、物干しスペースに干した洗濯物等を乾き易くすることができ、物干し作業効率を格段と向上させることができる。
【図面の簡単な説明】
【００２５】
【図１】本発明に係る建物の一実施形態を概略的に示す外観斜視図である。
【図２】図１の建物を概略的に示す平面図である。
【図３】図１の建物におけるバルコニーの説明に供する上階の間取り図である。
【図４】図１の建物の要部を拡大して示す拡大斜視図である。
【図５】図１の建物の要部を拡大して平面視で示す部分的断面図であり、（ａ）第１の風向き時の仕切パネル開放状態、（ｂ）第２の風向き時の仕切パネル開放状態を示す。
【発明を実施するための形態】
【００２６】
以下、本発明の一実施形態について図面を参照しながら詳細に説明する。
図１は、本発明に係る建物の一実施形態を概略的に示す外観斜視図であり、図２は、図１の建物を概略的に示す平面図であり、図３は、図１の建物におけるバルコニーの説明に供する上階の間取り図である。また、図４は、図１の建物の要部（当該建物に設置されたバルコニー）を拡大して示す拡大斜視図である。図５は、図１の建物の要部（当該バルコニーに設置された仕切パネル）を拡大して平面視で示す部分的断面図であり、（ａ）第１の風向き時の仕切パネル開放状態、（ｂ）第２の風向き時の仕切パネル開放状態を示す。
【００２７】
図１〜図３に示すように、本実施形態の建物は、複数の建物ユニットが組み合わされて構築されたユニット式建物による２階建ての住宅Ｈ１であり、建物本体１の上部には屋根２が設けられている。また、建物本体１の上階側には、外壁３から突出するように略Ｌ字状のバルコニー４が、その一方を隣接する敷地（隣地）との境界線Ｌに沿って延在するように設けられている。
【００２８】
この住宅Ｈ１は、外壁３のうち、隣地に建築された隣家Ｈ２側に、当該隣地との境界線Ｌに沿って配設される隣家側壁面３ａを備えている。つまり、この隣家側壁面３ａは、隣家Ｈ２の壁面１０と略平行に対峙している。換言すれば、住宅Ｈ１は、隣接する敷地との境界線Ｌに沿って配設され、当該敷地（隣地）に建築された隣家Ｈ２の壁面１０と略平行に対峙する隣家側壁面３ａを備えている。
【００２９】
バルコニー４は、隣家側壁面３ａに対して境界線Ｌに沿って延在するように設けられており、その上方に配設された屋根２は、当該バルコニー４の出寸法とほぼ同じか、それ以上の出寸法からなる。換言すれば、住宅Ｈ１は、隣家側壁面３ａに設けられ、境界線Ｌに沿って延在するバルコニー４と、このバルコニー４の上方に配設され、当該バルコニー４の出寸法とほぼ同じか、それ以上の出寸法からなる屋根２と、を有している。
【００３０】
このバルコニー４は、その全体の領域（スペース）のうち、隣家側壁面３ａと境界線Ｌとの間に位置する細長い平面形状からなる部位が、物干しスペース４ａとして機能するようになっている。また、バルコニー４は、隣家側壁面３ａに隣接する他の壁面３ｂ側に設けられ、物干しスペース４ａから延在する他のスペース４ｂを含んで構成されている。すなわち、バルコニー４は隣家側壁面３ａと境界線Ｌとの間に位置する細長い平面形状からなる物干しスペース４ａと、当該物干しスペース４ａから延在し、隣家側壁面３ａに隣接する他の壁面３ｂ側に設けられる他のスペース４ｂとを備えている。
【００３１】
このとき、隣家側壁面３ａと隣家Ｈ２の壁面１０との間の狭い空間においては、それぞれの建物（すなわち、隣接する住宅Ｈ１および隣家Ｈ２）における前後の広い空間から、いわゆるビル風のように速度の上昇した風が流れ込む現象が起こり易い。しかも、このバルコニー４の上方には、当該バルコニー４の出寸法とほぼ同じか、それ以上の出寸法からなる屋根２が配設されているので、バルコニー４を境界線Ｌに沿ったトンネル状に配置することができるようになっている。従って、このように物干しスペース４ａを有するバルコニー４を備えた住宅Ｈ１によれば、隣家側壁面３ａと隣家Ｈ２の壁面１０との間を通り抜ける風を利用することで、当該物干しスペース４ａの配置における日照条件に左右されることなく、洗濯物を乾き易くすることが可能となっている。
【００３２】
ここで、住宅Ｈ１における一つのコーナー部は、隣接する他の壁面３ｂに対して室内側に後退する複数の壁面３ｃ，３ｄによって構成された凹所５とされており、隣家側壁面３ａは、凹所５を構成する複数の壁面３ｃ，３ｄを含んで構成されている。すなわち、バルコニー４は、物干しスペース４ａが隣家側壁面３ａに面しており、他のスペース４ｂが複数の壁面３ｃ，３ｄを有する凹所５に面して配設されている。
【００３３】
また、物干しスペース４ａは、境界線Ｌに沿って摺動自在に配設される物干し手段６を有している。かかる物干し手段６は、洗濯物を干す物干し竿や、当該物干し竿を支持する支柱などの支持部材を含んで構成されており、物干しスペース４ａから境界線Ｌに沿って、他のスペース４ｂ側に引き出し可能となっている。従って、洗濯物などを物干しスペース４ａに干す場合、物干し手段６を他のスペース４ｂ側に引き出すことができるので、細長い平面形状の物干しスペース４ａにて、窮屈な状態で物干し作業することなく、当該物干しスペース４ａに比して広々とした他のスペース４ｂにおいて、ゆったりと作業することが可能となっている。
【００３４】
また、図４に示すように、バルコニー４の手摺７は、境界線Ｌの延在方向における両端７ａ，７ｂに、通風可能な開口部７１，７１を備えている。さらに、手摺７は、当該境界線Ｌと略平行な側面に、閉塞された壁部７２を備えている。これにより、手摺７の端部７ａまたは７ｂ側からバルコニー４に流入する風の流れを邪魔することなく流通させることができると共に、当該境界線Ｌと略平行な側面に閉塞された壁部７２を備えるので、隣接する建物（住宅Ｈ１および隣家Ｈ２）間を流れる風が整流され、バルコニー４をトンネル状にして当該風の流通速度を向上させることができるようになっている。
【００３５】
さらに、バルコニー４は、図３および図５に示すように、手摺上部７ｃと軒天２ａとの間に整流用の仕切パネル８を備えている。この仕切パネル８は、この場合、３つのパネル８ａ，８ｂ，８ｃから構成され、それぞれ、手摺上部７ｃと軒天２ａとを結ぶ方向を回転中心として回動自在に設けられている。これにより、バルコニー４がトンネル状となり、隣接する建物（住宅Ｈ１および隣家Ｈ２）間を流れる（つまり、バルコニー４を通り抜ける）風の速度を上げることができるようになっている。
【００３６】
しかも、これら３つのパネル８ａ，８ｂ，８ｃから構成される仕切パネル８は、手摺上部７ｃと軒天２ａとを結ぶ方向を回転中心として回動自在であるので、隣接する建物（住宅Ｈ１および隣家Ｈ２）間を流れる風の風向きが、例えば図５（ａ）に示すように、手摺７の端部７ａ側からの風向きの場合は、パネル８ａ，８ｂ，８ｃにおける手摺７の端部７ｂ側となる端部をバルコニー４内側へ向けて回転させ、図５（ｂ）に示すように、手摺７の端部７ｂ側からの風向きの場合は、パネル８ａ，８ｂ，８ｃにおける手摺７の端部７ａ側となる端部をバルコニー４内側へ向けて回転させるように角度を調整することにで、バルコニー４を通り抜ける風の通風性を向上させることができるようになっている。
【００３７】
また、図３に示すように、バルコニー４の端部（具体的には、手摺７の端部７ｂ側）における隣家側壁面３ａには、室内換気用の吹出口９が設けられている。これにより、当該吹出口９から吐出された風（室内の空気）がバルコニー４の物干しスペース４ａに干された洗濯物に当たり、当該洗濯物をより乾き易くすることができるようになっている。
【００３８】
以上、説明したように、本実施形態の住宅Ｈ１によれば、隣家側壁面３ａに境界線Ｌに沿って延在するように設けられるバルコニー４のうち、隣家側壁面３ａと境界線Ｌとの間に位置する細長い平面形状からなる部位を物干しスペース４ａとして機能させるようにした。このとき、隣家側壁面３ａと隣家Ｈ２の壁面１０との間の狭い空間においては、それぞれの建物（すなわち、住宅Ｈ１および隣家Ｈ２）における前後の広い空間から、いわゆるビル風のように速度の上昇した風が流れ込む現象が起こり易い。しかも、このバルコニー４の上方には、当該バルコニー４の出寸法とほぼ同じか、それ以上の出寸法からなる屋根２が配設されているので、バルコニー４を境界線Ｌに沿ったトンネル状に配置することができる。かくして、上述のように物干しスペース４ａを有するバルコニー４を備えた住宅Ｈ１によれば、隣家側壁面３ａと隣家Ｈ２の壁面１０との間を通り抜ける風を利用することで、当該物干しスペース４ａの配置における日照条件に左右されることなく、洗濯物を乾き易くすることができ、物干し作業効率を格段と向上させることができる。
【００３９】
また、隣家側壁面３ａが、当該住宅Ｈ１のコーナー部に設けられた凹所５を構成する複数の壁面３ｃ，３ｄを含んで構成されている。すなわち、この住宅Ｈ１における前後いずれかの広い空間に面したコーナー部を含み、且つ、そのコーナー部が凹所５となっているので、隣家側壁面３ａと隣家Ｈ２の壁面１０との間（換言すれば、隣接する建物Ｈ１，Ｈ２間）を通り抜ける風を集め易くすることができる。よって、当該バルコニー４が有する物干しスペース４ａにおいて、洗濯物を乾き易くすることができ、物干し作業効率をより一段と向上させることができる。
【００４０】
また、当該バルコニー４の端部における隣家側壁面３ａに室内換気用の吹出口９が設けられているので、この吹出口９から吐出された風がバルコニー４の物干しスペース４ａに干された洗濯物に当たり、より乾き易くすることができる。なお、当該吹出口９を設ける位置としては、隣家側壁面３ａに限らず、要はバルコニー４の物干しスペース４ａに吹き出す位置であれば、この他、例えば軒天２ａであってもよい。
【００４１】
さらに、当該バルコニー４の手摺７は、境界線Ｌの延在方向における両端に通風可能な開口部７１，７１を備えるので、手摺７の端部７ａまたは７ｂ側からバルコニー４に流入する風の流れを邪魔することなく流通させることができると共に、当該境界線Ｌと略平行な側面に閉塞された壁部７２を備えるので、隣接する建物（住宅Ｈ１および隣家Ｈ２）間を流れる風が整流され、バルコニー４をトンネル状にして当該風の流通速度を向上させることができる。これにより、バルコニー４の物干しスペース４ａに干された洗濯物をより乾き易くすることができ、物干しスペース４ａにおける洗濯物の乾燥効率を格段と向上させることができる。
【００４２】
また、当該バルコニー４が手摺上部７ｃと軒天２ａとの間に整流用の仕切パネル８を備えているので、バルコニー４がトンネル状となり、隣接する建物（住宅Ｈ１および隣家Ｈ２）間を流れる（つまり、バルコニー４を通り抜ける）風の速度を上げることができる。よって、このバルコニー４の物干しスペース４ａに干された洗濯物の乾燥効率をより一段と向上させることができる。
【００４３】
しかも、当該バルコニー４に備えられた仕切パネル８（８ａ，８ｂ，８ｃ）が、手摺上部７ｃと軒天２ａとを結ぶ方向を回転中心として回動自在であるので、隣接する建物（住宅Ｈ１および隣家Ｈ２）間を流れる風の風向きに応じて角度を調整することにより、バルコニー４を通り抜ける風の通風性を向上させることができる。
【００４４】
さらに、当該バルコニー４が、隣家側壁面３ａに隣接する他の壁面３ｂ側に設けられ、物干しスペース４ａから延在する他のスペース４ｂを含んで構成されている。そして、当該バルコニー４の物干しスペース４ａは、境界線Ｌに沿って摺動自在に配設される物干し手段６を有しているので、当該物干し手段６を細長い平面形状からなる物干しスペース４ａから隣家側壁面３ａに隣接する他の壁面３ｂ側に延在する他のスペース４ｂ側へと引き出すことができ、洗濯物等を干す物干し作業を容易にすることができる。よって、当該バルコニー４における物干し作業を簡便化することができる。
【００４５】
なお、本発明は、上述した実施形態に限定されることなく、本発明の趣旨を逸脱しない範囲において、適宜、種々の改良および設計の変更が可能である。
【００４６】
例えば、上述した実施形態においては、本発明に係る建物として、ユニット式建物による２階建ての住宅Ｈ１に適用する場合について述べたが、一例であってこれに限らず、木造，鉄筋コンクリート造等、この他種々の建物に広く適用可能であり、且つ、その階数もバルコニー４に対峙する隣家Ｈ２の壁面１０が存在する限り、２階建てに限定されるものではない。
【００４７】
また、上述した実施形態においては、住宅Ｈ１が、バルコニー４の上方に、当該バルコニー４の出寸法とほぼ同じか、それ以上の出寸法からなる屋根２を有する場合について述べたが、本発明はこれに限らず、要はバルコニー４の出寸法とほぼ同じか、それ以上の出寸法からなり、当該バルコニー４をトンネル状にするものであれば、庇であっても良い。
【符号の説明】
【００４８】
１…建物本体
２…屋根
３…外壁
３ａ…隣家側壁面
３ｂ，３ｃ，３ｄ…壁面
４…バルコニー
４ａ…物干しスペース
４ｂ…他のスペース
５…凹所
６…物干し手段
７…手摺
７ａ，７ｂ…端部
７ｃ…手摺上部
７１…開口部
７２…壁部
８…仕切パネル
８ａ，８ｂ，８ｃ…パネル
９…吹出口
１０…壁面
Ｈ１…住宅（建物）
Ｈ２…隣家
Ｌ…境界線
【図１】
2014105488.tif 000003
【図２】
2014105488.tif 000004
【図３】
2014105488.tif 000005
【図４】
2014105488.tif 000006
【図５】
2014105488.tif 000007